(57)【要約】【課題】ステープル脚を綴じ用紙の裏面に沿わせて屈曲させる可動クリンチャを所定の作動ストロークの範囲で確実に作動させる。【解決手段】綴じ用紙Ｐの裏面側に貫通されたステープル脚Ｓ１と係合可能に配置されたクリンチャ片１２を備えた一対の可動クリンチャ１１をステープルＳの打ち出し位置に対向させて回動可能に設けるとともに、該可動クリンチャ１１と係合して可動クリンチャ１１を回動させる円弧状カム面１６ａを形成したクリンチャカム１６を各可動クリンチャ１１の近傍に各々回転自在に配置させてクリンチャ機構１０を構成し、ステープラー１を駆動させている駆動機構によって作動される駆動リンク１８を介してクリンチャカム１６を回転駆動させるようにし、クリンチャカム１６に形成した円弧状カム面１６ａによって可動クリンチャ１１を回動作動させる。【選択図】図６
2005199450.tif 000002
【特許請求の範囲】
【請求項１】
コ字形に成型されたステープルを打込機構部から綴じ用紙に向けて打ち出して、該ステープルのステープル脚を綴じ用紙を貫通させるとともに、綴じ用紙の裏面側に配置されているクリンチャ機構によって、綴じ用紙を貫通したステープル脚を綴じ用紙の裏面に沿って折り曲げるようにしたステープラーにおいて、綴じ用紙の裏面側に貫通されたステープル脚と係合可能に配置されたクリンチャ片を備えた一対の可動クリンチャをステープルの打ち出し位置に対向させて回動可能に設けるとともに、該可動クリンチャと係合して可動クリンチャを回動させる円弧状カム面を形成したクリンチャカムを前記各可動クリンチャの近傍に各々回転自在に配置させてクリンチャ機構を構成し、ステープラーを駆動させている駆動機構によって作動される駆動リンクを介して前記クリンチャカムを回転駆動させるようにし、前記クリンチャカムに形成した円弧状カム面によって前記可動クリンチャを回動作動させるようにしたことを特徴とするステープラーの可動クリンチャ駆動機構。
【請求項２】
前記クリンチャカムのカム面に、クリンチャカムが所定以上回転したときにクリンチャの作動片に変位を与えないようにした回転中心から同一半径に形成された円弧部が形成されていることを特徴とする請求項１に記載のステープラーの可動クリンチャ駆動機構。
【発明の詳細な説明】
【技術分野】
【０００１】
本発明は、コ字形に成形されたステープルを綴じ用紙に向けて打ち出して、綴じ用紙の裏面側に貫通したステープル脚を綴じ用紙の裏面に沿って折り曲げるようにした可動クリンチャ機構を備えたステープラーの可動クリンチャ駆動機構に関するものである。
【背景技術】
【０００２】
ステープルを綴じ用紙に向けて打ち込みして該ステープルによって複数枚の綴じ用紙を束ねて綴るようにした電動ステープラー等においては、同じ方向に延びた一対の脚部を備えたコ字形に成型したステープルを打ち込み機構によって綴じ用紙の表面側から綴じ用紙へ向けて打ち込み、綴じ用紙を貫通した一対のステープル脚のそれぞれをクリンチャ機構によって綴じ用紙の裏面に沿わせて折り曲げするようにしている。従来の電動ステープラーにおける一般的なクリンチャ機構は、綴じ用紙の裏面側へ貫通された各々のステープル脚と対向するように回動可能に設けられている一対の可動クリンチャによって形成されており、打ち出し機構から打ち出されるステープルのステープル脚の殆どの部分が綴じ用紙を貫通し終えた後で可動クリンチャが回動作動されて、ステープル脚を綴じ用紙の裏面に沿わせて屈曲させることによってステープル綴じを行わせるようにしている。
【０００３】
一対の可動クリンチャは、ステープルの打ち出し位置に対向させて前後方向に並設されている２枚のクリンチャガイド板の間にそれぞれ回動可能に軸支されて設けられており、クリンチャ面が綴じ用紙を貫通したステープル脚の各々と係合できるように配置されている。この可動クリンチャを回動作動させるために、中央部が回動可能にフレームに支持された駆動レバーが設けられており、この駆動レバーの後部をステープラーを駆動させているモータによって回転される駆動カムと係合させることにより駆動レバーの前端部を上下方向に揺動作動させ、この駆動レバーの前端部分を前記可動クリンチャの一部と係合させることによって駆動レバーの揺動作動によって可動クリンチャを回動させるようにしている。前記駆動レバーの後端に取りつけたローラを駆動カムのカム面に当接させて、駆動カムが回転することによって駆動レバーの後端が上下方向に揺動作動され、これによって駆動レバーは回動支軸を中心に前端部が上下方向ら揺動して可動クリンチャの一部を押し下げるので、可動クリンチャが支軸を中心に回動してクリンチャ面がステープル脚と係合してステープル脚を綴じ用紙の裏面に沿って折り曲げして綴じ用紙を綴じるようにしている。
【特許文献１】特開平１０−１２８６８３号公報
【発明の開示】
【発明が解決しようとする課題】
【０００４】
ところで、可動クリンチャはその作動ストロークの範囲で前記駆動リンクによって回動作動されて、可動クリンチャのクリンチャ面がステープル脚と係合してこのステープル脚を綴じ用紙の裏面に沿って密着するように押圧成型させように作動されるものであるが、上記従来の可動クリンチャの作動機構では、駆動カムによって揺動作動させられるようにした駆動レバーによって前記可動クリンチャを回動作動させており、駆動レバーの作動ストロークが可動クリンチャの回動ストロークに比例している。従って駆動レバーや駆動カム等の部品の寸法公差の集積等によってこの駆動レバーの先端部の揺動ストローク量が変動したり又は作動ストロークの範囲がずれてしまったりすると、この駆動レバーによって作動されるクリンチャの作動ストロークが変動してしまい、可動クリンチャのクリンチャ面の最終作動位置が所定範囲に収まらず、ステープル脚が綴じ用紙の裏面から浮いてしまったり、又はステープル脚の先端が綴じ用紙の表面側まで突き出されてしまったりして、ステープル脚のクリンチ形状を安定した状態に維持することができなくなるという問題があった。
【０００５】
本発明は上記従来技術での問題点を解消して、ステープル脚を綴じ用紙の裏面に沿わせて屈曲させる可動クリンチャを所定の作動ストロークの範囲で確実に作動させることができるようにした可動クリンチャの作動機構を備えたステープラーを提供することを課題とする。
【課題を解決するための手段】
【０００６】
上記課題を解決するため、本発明に係るステープラーの可動クリンチャ作動機構は、コ字形に成型されたステープルを打込機構部から綴じ用紙に向けて打ち出して、該ステープルのステープル脚を綴じ用紙を貫通させるとともに、綴じ用紙の裏面側に配置されているクリンチャ機構によって、綴じ用紙を貫通したステープル脚を綴じ用紙の裏面に沿って折り曲げるようにしたステープラーにおいて、綴じ用紙の裏面側に貫通されたステープル脚と係合可能に配置されたクリンチャ片を備えた一対の可動クリンチャをステープルの打ち出し位置に対向させて回動可能に設けるとともに、該可動クリンチャと係合して可動クリンチャを回動させる円弧状カム面を形成したクリンチャカムを前記各可動クリンチャの近傍に各々回転自在に配置させてクリンチャ機構を構成し、ステープラーを駆動させている駆動機構によって作動される駆動リンクを介して前記クリンチャカムを回転駆動させるようにし、前記クリンチャカムに形成した円弧状カム面によって前記可動クリンチャを回動作動させるようにしたことを特徴とする。
【０００７】
また、請求項２の発明は、前記クリンチャカムのカム面に、クリンチャカムが所定以上回転したときにクリンチャの作動片に変位を与えないようにした回転中心から同一半径に形成された円弧部が形成されていることを特徴とする。
【発明の効果】
【０００８】
本発明によれば、前記クリンチャ機構を、綴じ用紙の裏面側に貫通されたステープル脚と係合可能に配置されたクリンチャ片を備えた可動クリンチャと、該可動クリンチャと隣接させて配置された回転カムとを各々回転自在に支持させて前記クリンチャ機構を構成し、ステープラーを駆動させている駆動機構によって揺動作動される駆動リンクを介して前記回転カムを回転駆動させるようにし、前記回転カムに形成した円弧状カム面によって前記可動クリンチャを回動作動させるようにしているので、可動クリンチャは回転カムのカム面によって回動作動されるので、その回動ストローク量は駆動リンクの揺動ストロークの変動に左右されることなく、回転カムの回転によって規制されるので可動クリンチャを所定の作動ストロークで作動させることができる。
【発明を実施するための最良の形態】
【０００９】
本発明は、ステープル脚を綴じ用紙の裏面に沿わせて屈曲させる可動クリンチャを所定の作動ストロークの範囲で確実に作動させるという目的を、綴じ用紙の裏面側に貫通されたステープル脚と係合可能に配置されたクリンチャ片を備えるとともに回動可能に支持された可動クリンチャと、該可動クリンチャを回動作動させるように可動クリンチャに隣接して配置した回転カムによってクリンチャ機構を構成し、ステープラーを駆動させている駆動機構によって揺動作動される駆動リンクを前記回転カムと係合させて該回転カムを回転させるようにし、該回転カムにより可動クリンチャを回動作動させることによって実現させたものであり、更に具体的な実施例を以下に説明する。
【実施例１】
【００１０】
図１は本発明の可動クリンチャ駆動機構を備えたステープラーであり、このステープラー１の外郭を形成している機枠２内には電動モータとこの電動モータによって回転駆動される駆動機構が収容されており、更に上記機枠２の下部には前記駆動機構によって駆動されてコ字形に成形されたステープルを綴じ用紙に向けて打ち出す打込機構部３が形成されている。この実施例によるステープラー１の打込機構部３は、互いに連結された多数の真直状のステープル材を成形手段によってコ字形のステープルに成形すると共に、打出手段によってこの成形されたステープルを打込機構部３の上方に配置された綴じ用紙に向けて上向きに打ち出すように構成している。
【００１１】
更に、前記打込機構部３と対向した機枠２の上部には綴じ用紙の上方側へ貫通したステープル脚を綴じ用紙の上面に沿って折り曲げるクリンチャ機構部４が形成されている。前記クリンチャ機構部４は先端部が打込機構部３に対して近接及び離反する方向に回動可能に機枠２に対して支持されており、通常時にはクリンチャ機構部４は打込機構部３と離反した状態に配置され、打込機構部３とクリンチャ機構部４との間に綴じ用紙が配置された後、図２に示すように打込機構部３とクリンチャ機構部４との間で綴じ用紙を挟持するようにクリンチャ機構部４が回動作動される。クリンチャ機構部４が打込機構部３の方向へ回動作動された後、打込機構部３から綴じ用紙に向けてステープルが打ち出される。
【００１２】
前記クリンチャ機構部４には、打込機構部３から打ち出されて綴じ用紙を貫通したステープル脚の長さを均一にするためにステープル脚の先端部を切断するステープル脚切断機構５と、該ステープル脚切断機構５によって一定の長さに切断されたステープル脚を綴じ用紙の上面に沿って屈曲させるクリンチャ機構１０が形成されている。ステープル脚切断機構５は、綴じ用紙を貫通して綴じ用紙の上面側に突出された一対のステープル脚の間に配置される固定カッター６と、この固定カッター６の上面側に密着した状態で配置されるとともにステープル脚の外側から内側へ向けて作動可能に支持されている一対の可動カッター７とによって構成されており、前記固定カッター６の両側縁と一対の可動カッター７との間に配置されたステープル脚を、前記可動カッター７をステープル脚の外側から内側方向へ向けて作動させるように作動させることによって、固定カッター６の両側の切断縁と可動カッター７との間でステープル脚の先端部分を所定の長さ切断するようにしている。
【００１３】
クリンチャ機構１０は、綴じ用紙を貫通して綴じ用紙の裏面側へ突出されている各々のステープル脚と係合して各々のステープル脚を内側に向けて屈曲させるクリンチャ片１２とこのクリンチャ片１２からほぼ直角方向に延びた作動片１３とによってＬ字形に形成されるとともに、各々回動軸１４によって支持プレート８に対して回動可能に支持されて設けられている一対の可動クリンチャ１１により構成されている。
【００１４】
図３に示すように、前記可動クリンチャ１１はクリンチャ機構１０が非作動時に可動クリンチャ１１のクリンチャ片１２が、打込機構部３から綴じ用紙に向けて打ち出されるステープルのステープル脚の先端と対向した位置に傾斜状態で配置されるように支持されており、打込機構部３から打ち出されて綴じ用紙を貫通したステープル脚の先端を傾斜したクリンチャ片１２と係合させることによって、一対のステープル脚の先端部を互いに内側方向へ誘導してステープル脚を湾曲させながら固定カッター６の側縁と可動カッター７との間に誘導させる。ステープル脚切断機構５の可動カッター７をステープル脚の外側から内側方向へスライド移動させてステープル脚の先端部を切断した後、可動クリンチャ１１を回動作動させてクリンチャ片１２によって湾曲状に成型されたステープル脚を綴じ用紙の裏面に沿わせて屈曲させるように作動する。
【００１５】
前記支持プレート８には前記可動カッター７と可動クリンチャ１１とを回動作動させるための回転カム９が形成されている。該回転カム９は、可動カッター７の側面と係合して可動カッター７をスライド駆動させるカッターカム１５と、前記可動クリンチャ１１の作動片１３と係合して可動クリンチャ１１を回動作動させるためのクリンチャカム１６とが一体に形成されて構成されており、前記支持プレート８に回転支軸１７によって一体的に回転されるように支持されている。これらのカム１５、１６の外周面に形成されている円弧状カム面１５ａ、１６ａがそれぞれ可動カッター７と可動クリンチャ１１の作動片１３に対向するように配置されており、該カムが回転することによって可動カッター７と可動クリンチャ１１を作動させるようにしている。前記カッターカム１５とクリンチャカム１６とは一体で回転されるように一体に結合されて構成されており、図５に示すように、下端部がステープラー１を駆動させている駆動機構によって揺動作動されるように設けられている駆動リンク１８によって回転駆動させるようにしている。
【００１６】
前記駆動リンク１８の先端部１８ａが支持プレート８に形成されている開口１９を介して支持プレート８の前方側に突出され、前記カム１５、１６に形成されている開口２０内に遊嵌されており、駆動リンク１８の先端部１８ａが上下方向へ揺動作動されることによって、クリンチャカム１６とカッターカム１５とが回転支軸１７を中心として一体に回動されて、図６に示すように、各カム１５、１６に形成されている円弧状カム面１５ａ、１６ａによってステープル脚切断機構５とクリンチャ機構１０とがそれぞれ駆動されるようにされている。前記カッターカム１５とクリンチャカム１６とは一体に結合されて構成されており一体的に回転されるが、カッターカム１５によってスライド作動される可動カッター７とクリンチャカム１６によって回動作動される可動クリンチャ１１の作動タイミングはカッターカム１５とクリンチャカム１６とに位相差を持たせることでそれぞれ独立して設定されている。
【００１７】
図７に示すように、駆動リンク１８が作動されていない状態では、駆動リンク１８の先端１８ａが上方位置に配置されこれによって図中の左側に配置されているカッターカム１５とクリンチャカム１６は回転支軸１７を中心として時針回り方向に回転された位置に配置され、また、右側に配置されているカッターカム１５とクリンチャカム１６は回転支軸１７を中心として反時針回り方向に回転された位置に配置されている。そして、可動カッター７はステープルＳのステープル脚Ｓ１の外側方向に退避した位置に配置され、可動クリンチャ１１のクリンチャ片１２がステープルＳの打ち出し位置に対向して傾斜状に配置されている。打込機構部３から綴じ用紙に向けて打ち出されたステープルＳのステープル脚Ｓ１が綴じ用紙を貫通してステープル脚Ｓ１の先端がクリンチャ片１２によって誘導されて固定カッター６と可動カッター７の間へ誘導されるまでカッターカム１５とクリンチャカム１６は回転されない。
【００１８】
打込機構部３から打ち出されて綴じ用紙を貫通したステープル脚Ｓ１が前記クリンチャ片１２によって誘導されて固定カッター６と可動カッター７の間へ挿入された後に、駆動機構によって駆動リンク１８が作動されて駆動リンク１８の先端１８ａが下方向へ揺動作動されて図中左側に配置されているカッターカム１５とクリンチャカム１６を回転支軸１７を中心として反時針回り方向へ、また、右側に配置されているカッターカム１５とクリンチャカム１６を時針回り方向へ回転作動させる。図８に示すように駆動リンク１８の先端部１８ａがほぼ中間位置まで作動したときに、カッターカム１５の円弧状カム面１５ａによって可動カッター７がスライド作動されて、これによって固定カッター６と可動カッター７の間に配置されたステープル脚Ｓ１の先端部分が切断される。このとき、クリンチャカム１６は可動クリンチャ１１の作動片１３と係合しておらず、従って可動クリンチャ１１は未だ作動されていない。
【００１９】
図９に示すように、更に駆動リンク１８が作動されて先端部１８ａが下死点位置まで作動したときには、カッターカム１５の円弧状カム面１５ａによって可動カッター７はステープル脚Ｓ１を切断したスライド移動位置に保持されており、これによって切断された切断屑が綴じ用紙の方向へ落ち込むことを防止している。更に、このときクリンチャカム１６が可動クリンチャ１１の作動片１３と係合してこの作動片１３を押圧させることにより左側の可動クリンチャ１１を時針回り方向へ、また右側の可動クリンチャ１１を反時針回り方向へ、回動して、可動クリンチャ１１のクリンチャ片６によってステープル脚Ｓ１を綴じ用紙の裏面に圧着させるように押圧させてクリンチを行わせる。
【００２０】
前記カッターカム１５とクリンチャカム１６には、これらのカム１５、１６を回転自在に支持している回転支軸１７の中心から所定の半径寸法に設定された円弧状カム面１５ａ、１６ａが形成されており、これらのカム１５、１６のそれぞれの円弧状カム面１５ａ、１６ａの半径寸法が可動カッター７のスライドストローク量及び可動クリンチャ１１の回動ストローク量と一致させるように設定されている。そしてこれらのカム１５、１６の回動ストローク量を可動カッター７のスライドストローク量と可動クリンチャ１１の回動ストローク量より大きく設定してある。このように円弧状カム面１５ａ、１６ａを回転支軸１７中心から所定の半径寸法の円弧面によって形成するとともにもカム１５、１６の回転ストローク量を可動カッター７のスライド移動ストロークと可動クリンチャ１１の回動ストロークより大きく回動させるように設定しておくことによって、可動カッター７のスライドストロークと可動クリンチャ１１の回動作動ストロークとを回転カム９によって規定させることができ、駆動リンク１８の揺動ストロークの変動に左右されないで可動クリンチャ１１を所定の作動ストロークで所定の位置まで確実に作動させることができる。
【００２１】
以下、一方側のクリンチャカム１６による可動クリンチャ１１の作動状態を図１０に基づいて説明する。図１０（ａ）に示すように、駆動リンク１８が非作動の状態では駆動リンク１８の先端部１８ａが上死点位置Ｐ１に配置されており、これによってクリンチャカム１６が時針回り方向に回動されて円弧状カム面１６ａが可動クリンチャ１１の作動片１３と離反された状態に配置されている。これによって可動クリンチャ１１のクリンチャ片１２がステープルＳの打ち出し位置に対向して傾斜状態で配置されている。駆動リンク１８が上死点位置Ｐ１から下方向に揺動作動されるときにクリンチャカム１６はカッターカム１５と一体的に反時針回り方向に回転されて、このときにカッターカム１５によって前述のように可動カッター７がスライド作動されてステープル脚Ｓ１の先端が切断される。
【００２２】
図１０（ｂ）に示すように、駆動リンク１８が更に上死点位置Ｐ１から下方向へ揺動作動されることによってクリンチャカム１６が更に反時針回り方向に回転されて、駆動リンク１８の先端部１８ａが上死点位置Ｐ１より稍下側の位置Ｐ２まで作動されたときに、クリンチャカム１６の円弧状カム面１６ａの端縁が可動クリンチャ１１の作動片１３と係合して可動クリンチャ１１を回動軸１４を中心として時針回り方向に回動作動させて、クリンチャ片１２によってステープル脚Ｓ１を綴じ用紙Ｐの裏面方向へ屈曲させる。
【００２３】
更に駆動リンク１８の先端部１８ａが下方向に揺動作動されてこれによってクリンチャカム１６が更に回転して、図１０（ｃ）に示すように、駆動リンク１８の先端部１８ａがＰ３位置まで下降作動したときに、クリンチャカム１６の円弧状カム面１６ａが可動クリンチャ１１の作動片１３の背面に係合するようになり、このようにクリンチャカム１６の円弧状カム面１６ａによって可動クリンチャ１１が回動された状態が可動クリンチャ１１の最終回動位置となり、この位置で可動クリンチャ１１のクリンチャ片１２がステープル脚Ｓ１を綴じ用紙Ｐの裏面に沿わせてクリンチさせた状態となる。
【００２４】
可動クリンチャ１１によってステープル脚Ｓ１がクリンチされた後も駆動リンク１８は更に揺動作動されて、図１０（ｄ）に示すように、先端部１８ａが下死点位置Ｐ４まで下降作動される。この先端部１８ａの作動によってクリンチャカム１６も更に反時針回り方向へ回動作動されるが、クリンチャカム１６の回転支軸１７から同一半径の円弧状面で形成されている円弧状カム面１６ａが可動クリンチャ１１の作動片１３と係合されているので、可動クリンチャ１１は更に回動されることが無くクリンチャ片１２によるステープル脚Ｓ１のクリンチ状態は維持される。即ち、クリンチャカム１６が図１０（ｂ）に示す位置から図１０（ｃ）に示す位置まで回転するときに可動クリンチャ１１が回動作動されてステープル脚Ｓ１をクリンチさせ、駆動リンク１８の先端部１８ａが上死点位置Ｐ１からＰ２位置まで作動する間の回転と、Ｐ３位置から下死点位置Ｐ４まで作動する間のクリンチャカム１６の回転によっては可動クリンチャ１１は作動しないようにされるので、駆動リンク１８の揺動範囲が変動した場合でも可動クリンチャ１１のクリンチ作動には影響を与えることがない。
【００２５】
上記本発明の実施例によれば、クリンチャカム１６に回転支軸を中心として所定の半径の円弧状カム面１６ａを形成するとともに、駆動リンク１８によって回転されるクリンチャカム１６の回動量を可動クリンチャ１１の回動作動量より大きく設定して、クリンチャカム１６の円弧状カム面１６ａの端縁によって所定の作動ストローク作動させた可動クリンチャ１１を円弧状カム面１６ａによって作動位置に保持させておくことができ、可動クリンチャ１１の作動ストローク量とストローク範囲を駆動リンク１８の揺動ストロークの変動にかかわらずに常に一定に維持させることができる。これによって、可動クリンチャ１１によってステープル脚Ｓ１を綴じ用紙Ｐの裏面に沿わせて屈曲させる作動が安定して、クリンチャ片１２によってステープル脚Ｓ１を必要以上に押し付けてしまったり、又は押し付け量が不足してステープル脚Ｓ１が綴じ用紙の裏面から浮いた状態にクリンチされることが無くなる。
【図面の簡単な説明】
【００２６】
【図１】本発明のステープル脚切断機構を実施したステープラーの側面図
【図２】クリンチャ機構部が作動した状態の図１と同じステープラーの側面図
【図３】クリンチャ機構部に形成されているステープル脚切断機構とクリンチャ機構を示す正面図
【図４】図３と同じステープル脚切断機構とクリンチャ機構の平面図
【図５】図３と同じステープル脚切断機構とクリンチャ機構の側面図
【図６】作動した状態のステープル脚切断機構とクリンチャ機構の斜視図
【図７】作動前の状態のステープル脚切断機構の縦断正面図
【図８】カッタカムによって可動カッターがスライド作動された状態のステープル脚切断機構の縦断正面図
【図９】カッタカムによって可動カッターがスライド作動位置に保持されている状態のステープル脚切断機構の縦断正面図
【図１０】クリンチャ機構の作動状態を示す要部の縦断正面図であり、（ａ）駆動リンクが作動する前の状態、（ｂ）可動クリンチャが回動作動される直前の状態、（ｃ）可動クリンチャによりステープル脚のクリンチを完了した状態、（ｄ）クリンチが完了した後で更に駆動リンクが作動した状態を示す
【符号の説明】
【００２７】
９  回転カム
１０  クリンチャ機構
１１  可動クリンチャ
１２  クリンチャ片
１３  作動片
１４  回動軸
１６  クリンチャカム
１６ａ  円弧状カム面
１８  駆動リンク
【図１】
2005199450.tif 000003
【図２】
2005199450.tif 000004
【図３】
2005199450.tif 000005
【図４】
2005199450.tif 000006
【図５】
2005199450.tif 000007
【図６】
2005199450.tif 000008
【図７】
2005199450.tif 000009
【図８】
2005199450.tif 000010
【図９】
2005199450.tif 000011
【図１０】
2005199450.tif 000012